(57)【特許請求の範囲】
【請求項１】
一対の側プレートの間にファンプレートを所定間隔で立設すると共に、上記各プレートの間に回転軸に平行して周方向に複数の羽根（ブレード）を架設してなる送風機において、中央部より風速が低下する所より側プレートまでに位置する羽根（ブレード）の取付角を中央部の取付角よりも小さくすることを特徴とする送風機。
【請求項２】
一対の側プレートの間に、ファンプレートを所定間隔で立設すると共に、上記各プレートの間に回転軸に平行して周方向に複数の羽根（ブレード）を架設してなる送風機において、風速の変動が中央部の風速のおよそ２０％を越える範囲の羽根（ブレード）の取付角を、中央部の羽根（ブレード）の取付角よりも小さくすることを特徴とする送風機。
【発明の詳細な説明】
【０００１】
【発明の属する技術分野】
本発明は空気調和機等に用いられるクロスフローファンからなる送風機に関する。
【０００２】
【従来の技術】
空気調和機の室内ユニットとしての室内機には、熱交換器、ファンモータ、このモータで駆動され、熱交換器で加熱／冷却された空気を室内に戻すクロスフローファンからなる送風機及び室内制御部が搭載されている。
【０００３】
図２に一般的な空気調和機の室内機の要部分解図を示す。室内機は大別すると、室内機本体１、クロスフローファン２、熱交換器３からなり、室内機本体１のスクロールケーシング４には垂直に整流板（リブ）５が設けられ、クロスフローファン２はファンモータ６と軸結されている。クロスフローファン２は所定間隔で立設するファンプレート１４の間に回転軸に平行して周方向に複数の羽根（ブレード）１６を架設している。クロスフローファン２は軸受７、取付部材８、９等により室内機本体１に取り付けられる。
【０００４】
さらに熱交換器３を取り付けて室内機を構成し、クロスフローファン２を回転させると、吸込みグリルを通して室内機内に吸込まれる室内空気は熱交換器３を通過した後、クロスフローファン２を貫流して吹出口より加熱／冷却された空気が室内に吹出される。この時、スクロールケーシング４に整流板（リブ）５を設け、それによって空気流は整流され、安定にされて騒音の発生を低減している。
【０００５】
【発明が解決しようとする課題】
しかし、クロスフローファンの回転軸方向に所定間隔で立設するファンプレートの間に、回転軸に平行して周方向に複数の羽根（ブレード）を架設しているタイプの送風機では、一般に、クロスフローファンの左右両端部の風速が中央部に比べて風速が低下し、送風機全体としては風量が低下する欠点があった。そこで本発明は、回転数あたりの風量を増加させることにより、中央部との流れの不均一を改善し、風量の増加を図る送風機を提供することを目的とする。
【０００６】
【課題を解決するための手段】
上記目的を達成するために本発明の請求項１に係る送風機は、一対の側プレートの間に、ファンプレートを所定間隔で立設すると共に、上記各プレートの間に回転軸に平行して周方向に複数の羽根（ブレード）を架設してなる送風機において、中央部より風速が低下する所より側プレートまでに位置する羽根（ブレード）の取付角を中央部の取付角よりも小さく設定した構成とする。
【０００７】
本発明の請求項２に係る送風機は、一対の側プレートの間に、ファンプレートを所定間隔で立設すると共に、上記各プレートの間に回転軸に平行して周方向に複数の羽根（ブレード）を架設してなる送風機において、風速の変動が中央部の風速のおよそ２０％を越える範囲の羽根（ブレード）の取付角を、中央部の羽根（ブレード）の取付角よりも小さくする構成とする。
【０００８】
こうして、クロスフローファンの左右両端部の風速が中央部に比べて風速が低下して送風機全体としては風量が低下するようなことがあっても、回転数あたりの風量を増加させることにより、中央部との流れの不均一を改善し、風量の増加を図ることができる。
【０００９】
【発明の実施の形態】
次に図を参照して本発明を説明する。図１は本発明の送風機に用いられるクロスフローファンの正面図を示す。図において、１１はクロスフローファンの回転軸、１２は左側プレート、１３は右側プレート、１４は所定間隔で立設するファンプレート、１５，１６，１７は羽根（ブレード）であり、各プレートの間に回転軸に平行して周方向に複数枚が架設されている。そして、各羽根（ブレード）は回転軸１１の軸の中心に対して所定の角度（取付角）でもって架設されている。
【００１０】
このように構成されたクロスフローファンを空気調和機に適用して回転させると、吸込みグリルを通して室内機内に吸込まれる室内空気は熱交換器を通過した後、クロスフローファンを貫流して吹出口より加熱／冷却された空気が室内に吹出される。このとき、回転数あたりの風量を大きく得て効率的な運転を行なうには、羽根（ブレード）１５，１６，１７を含めた全ての羽根を回転軸１１に対して取付角を小さくすることによって大きな風量が得られるが、それに伴う騒音等を考慮すると、通常は約２３°の角度をもって回転軸１に取付けられている。
【００１１】
しかし、全ての羽根（ブレード）を通常の取付角で架設した場合、一般に、クロスフローファンファンの左右両端部の風速が中央部に比べて風速が低下する現象が生じる。クロスフローファンの回転数によっても影響されるので一概には言えないが、一例を上げれば、中央部の風速が０．７ｍ／ｓのとき、左右両端部の風速が０．４ｍ／ｓとなる場合もある。このことが送風機全体の風量を低下させる要因になっている。
【００１２】
そこで本発明では、風速が低下するクロスフローファンファンの左右両端部の羽根（ブレード）１５，１７を含む領域ｂのブレードを回転軸１１に架設する取付角を、騒音等を考慮して、中央部の羽根（ブレード）１６を含む領域ａのブレードを回転軸１に架設する取付角よりも、約２３°→２０°程度に小さくしてブレードを立てることにより、低下した所の風速を上昇させて、中央部との流れの不均一を改善し、風量の増加を図った。
【００１３】
ここで、一般に、回転軸１１に架設する羽根（ブレード）の取付角を中央部での取付角よりも小さくする範囲の条件は、実験上、風速の変動が中央部の風速のおよそ２０％を越える範囲（領域ｂ）の羽根（ブレード）の取付角を中央部（領域ａ）の取付角に対して変更することにより、実効性のある送風機全体の風量を得られることが判明した。
【００１４】
【発明の効果】
以上のように本発明の送風機は、クロスフローファンの回転軸方向に所定間隔で立設するファンプレートの間に、回転軸に平行して周方向に複数の羽根（ブレード）を架設しているタイプであって、クロスフローファンの左右両端部の風速が中央部に比べて風速が低下して送風機全体としては風量が低下するようなことがあっても、中央部より風速が低下する所より側プレートまでに位置する羽根  （ブレード）の取付角を中央部の取付角よりも小さくすることにより、回転数あたりの風量を増加させ、中央部との流れの不均一を改善して風量の増加を図ることができる。
【図面の簡単な説明】
【図１】本発明の送風機の概略構成図。
【図２】一般的な空気調和機の室内機の要部分解図。
【符号の説明】
１                  室内機本体
２                  クロスフローファン
３                  熱交換器
４                  スクロールケーシング
５                  整流板（リブ）
６                  ファンモータ
７                  軸受
８，９              取付部材
１１                ファンの回転軸
１２                左側プレート
１３                右側プレート
１４                ファンプレート
１５，１６，１７    羽根（ブレード）
【図１】
0003604899.tif 000002
【図２】
0003604899.tif 000003